(57)【特許請求の範囲】
【請求項１】
中心領域と、前記中心領域を同心的に取り囲み、ディオプターが前記中心領域のディオプターと異なる少なくとも１つの環状領域と、を含み、近視の防止又は近視の進行の抑制に用いられる多焦点コンタクトレンズと、
前記多焦点コンタクトレンズを浸し、毛様体筋麻痺剤を含む緩衝液と、
を備え、
前記毛様体筋麻痺剤の前記緩衝液における重量百分率濃度ＣｏｎＡが０．０５％≦ＣｏｎＡ≦０．２５％の範囲を満たすように設定されており、
前記多焦点コンタクトレンズの前記環状領域の数は２つであり、それぞれ第１の環状領域及び第２の環状領域であり、前記中心領域、前記第２の環状領域、前記第１の環状領域が中心から周辺まで同心円となるように順次に繋がり、
前記中心領域の直径をＤｉＣとし、前記第１の環状領域の外円直径をＤｉＰ１とし、前記第２の環状領域の外円直径をＤｉＰ２とすると、
前記多焦点コンタクトレンズは、４ｍｍ＜ＤｉＣ、０．１５≦ＤｉＣ／ＤｉＰ１＜１、及び、０．２≦ＤｉＣ／ＤｉＰ２＜１の範囲を満たすように設定されているコンタクトレンズ製品。
【請求項２】
前記毛様体筋麻痺剤の前記緩衝液における重量百分率濃度ＣｏｎＡが０．０５％≦ＣｏｎＡ≦０．１％の範囲を満たすように設定されている請求項１に記載のコンタクトレンズ製品。
【請求項３】
前記多焦点コンタクトレンズを調製する組成物は、青色光吸収成分を含む請求項１に記載のコンタクトレンズ製品。
【請求項４】
前記青色光吸収成分は、４−（フェニルジアゼニル）フェニルメタクリレート（４−（ｐｈｅｎｙｌｄｉａｚｅｎｙｌ）ｐｈｅｎｙｌ  ｍｅｔｈａｃｒｙｌａｔｅ）である請求項３に記載のコンタクトレンズ製品。
【請求項５】
前記多焦点コンタクトレンズを調製する組成物は、ＵＶ（Ｕｌｔｒａｖｉｏｌｅｔ）吸収成分を含む請求項１に記載のコンタクトレンズ製品。
【請求項６】
前記ＵＶ吸収成分は、２−［２−ヒドロキシ−５−［２−（メタクリロキシ）エチル］フェニル］−２Ｈ−ベンゾトリアゾール又は２−（４−ベンゾイル−３−ヒドロキシフェノキシ）エチルアクリレートである請求項５に記載のコンタクトレンズ製品。
【請求項７】
前記多焦点コンタクトレンズの材質は、シリコンハイドロゲルである請求項１に記載のコンタクトレンズ製品。
【請求項８】
前記シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、エチレングリコールジメタクリレート、（３−メタクリロキシ−２−ヒドロキシプロポキシ）プロピルビス（トリメチルシロキシ）メチルシラン、イソプロピルアルコール及びメタクリレートを含む請求項７に記載のコンタクトレンズ製品。
【請求項９】
前記シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、エチレングリコールジメタクリレート、３−アクリルオキシ−２−ヒドロキシプロポキシプロピル基封鎖のポリジメチルシロキサン及び１−ヘキサノールを含む請求項７に記載のコンタクトレンズ製品。
【請求項１０】
前記シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ、メチルメタクリレート及びエタノールを含む請求項７に記載のコンタクトレンズ製品。
【請求項１１】
前記多焦点コンタクトレンズの材質は、ヒドロゲルである請求項１に記載のコンタクトレンズ製品。
【請求項１２】
前記ヒドロゲルを調製する組成物は、ヒドロキシエチルメタクリレート、エチレングリコールジメタクリレート、２−ヒドロキシ−２−メチル−プロピオフェノン、グリセロール、トリメチロールプロパントリメタクリレート及びメタクリレートを含む請求項１１に記載のコンタクトレンズ製品。
【請求項１３】
前記ヒドロゲルを調製する組成物は、ヒドロキシエチルメタクリレート、エチレングリコールジメタクリレート、２−ヒドロキシ−２−メチル−プロピオフェノン、グリセロール、トリメチロールプロパントリメタクリレート及び２−メチル−２−プロペン酸−２，３−ジヒドロキシプロピルを含む請求項１１に記載のコンタクトレンズ製品。
【請求項１４】
前記ヒドロゲルを調製する組成物は、ヒドロキシエチルメタクリレート、エチレングリコールジメタクリレート、２−ヒドロキシ−２−メチル−プロピオフェノン、グリセロール及びＮ−ビニル−２−ピロリドンを含む請求項１１に記載のコンタクトレンズ製品。
【請求項１５】
前記中心領域、前記第１の環状領域、前記第２の環状領域の少なくとも一方が非球面である請求項１に記載のコンタクトレンズ製品。
【請求項１６】
前記多焦点コンタクトレンズの前記中心領域の直径ＤｉＣは、４ｍｍ＜ＤｉＣ≦１０ｍｍの範囲を満たすように設定されている請求項１５に記載のコンタクトレンズ製品。
【請求項１７】
前記多焦点コンタクトレンズは、６ｍｍ≦ＤｉＰ１≦１７ｍｍの範囲を満たすように設定されている請求項１５に記載のコンタクトレンズ製品。
【請求項１８】
前記多焦点コンタクトレンズは、５ｍｍ≦ＤｉＰ２≦１３ｍｍの範囲を満たすように設定されている請求項１５に記載のコンタクトレンズ製品。
【請求項１９】
前記多焦点コンタクトレンズの前記中心領域のディオプターＰｏｗＣは、前記多焦点コンタクトレンズの前記第１の環状領域の最大ディオプターＰｏｗＰ１に対して、｜ＰｏｗＣ−ＰｏｗＰ１｜≦１２Ｄの範囲を満たすように設定されている請求項１５に記載のコンタクトレンズ製品。
【請求項２０】
青色光吸収成分を含む組成物で調製され、中心領域と、前記中心領域を同心的に取り囲み、ディオプターが前記中心領域のディオプターと異なる２つの環状領域と、を含み、近視の防止又は近視の進行の抑制に用いられる多焦点コンタクトレンズと、
前記多焦点コンタクトレンズを浸し、毛様体筋麻痺剤を含む緩衝液と、を備え、
前記環状領域は、それぞれ第１の環状領域及び第２の環状領域であり、前記中心領域、前記第２の環状領域、前記第１の環状領域が中心から周辺まで同心円となるように順次に繋がり、
前記中心領域の直径をＤｉＣとし、前記第１の環状領域の外径をＤｉＰ１とし、前記第２の環状領域の外径をＤｉＰ２とすると、
前記多焦点コンタクトレンズは、４ｍｍ＜ＤｉＣ、０．１５≦ＤｉＣ／ＤｉＰ１＜１、及び、０．２≦ＤｉＣ／ＤｉＰ２＜１の範囲を満たすように設定されているコンタクトレンズ製品。
【請求項２１】
前記青色光吸収成分は、４−（フェニルジアゼニル）フェニルメタクリレートである請求項２０に記載のコンタクトレンズ製品。
【請求項２２】
前記多焦点コンタクトレンズの材質は、シリコンハイドロゲルである請求項２０に記載のコンタクトレンズ製品。
【請求項２３】
前記シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ、４−（フェニルジアゼニル）フェニルメタクリレート、メチルメタクリレート及びエタノールを含む請求項２２に記載のコンタクトレンズ製品。
【請求項２４】
前記多焦点コンタクトレンズの材質は、ヒドロゲルである請求項２０に記載のコンタクトレンズ製品。
【請求項２５】
前記ヒドロゲルを調製する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール、トリメチロールプロパントリメタクリレート及びメタクリレートを含む請求項２４に記載のコンタクトレンズ製品。
【請求項２６】
前記ヒドロゲルを調製する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール、トリメチロールプロパントリメタクリレート及び２−メチル−２−プロペン酸−２，３−ジヒドロキシプロピルを含む請求項２４に記載のコンタクトレンズ製品。
【請求項２７】
前記ヒドロゲルを調製する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール及びＮ−ビニル−２−ピロリドンを含む請求項２４に記載のコンタクトレンズ製品。
【請求項２８】
前記中心領域と前記環状領域との少なくとも一方が非球面である請求項２０に記載のコンタクトレンズ製品。
【請求項２９】
中心領域と、前記中心領域を同心的に取り囲み、ディオプターが前記中心領域のディオプターと異なる少なくとも１つの環状領域と、を含み、近視の防止又は近視の進行の抑制に用いられる多焦点コンタクトレンズと、
前記多焦点コンタクトレンズを浸し、毛様体筋麻痺剤を含む緩衝液と、
を備え、
前記多焦点コンタクトレンズの材質は、シリコンハイドロゲル又はヒドロゲルであり、
前記多焦点コンタクトレンズの前記環状領域の数は２つであり、それぞれ第１の環状領域及び第２の環状領域であり、
前記第２の環状領域は、前記中心領域に近く、
前記中心領域のディオプターＰｏｗＣは、前記第１の環状領域の最大ディオプターＰｏｗＰ１に対して、２Ｄ＜｜ＰｏｗＣ−ＰｏｗＰ１｜≦１２Ｄの範囲を満たすように設定されており、
前記中心領域、前記第２の環状領域、前記第１の環状領域が中心から周辺まで同心円となるように順次に繋がり、
前記中心領域の直径をＤｉＣとし、前記第１の環状領域の外径をＤｉＰ１とし、前記第２の環状領域の外径をＤｉＰ２とすると、
前記多焦点コンタクトレンズは、４ｍｍ＜ＤｉＣ、０．１５≦ＤｉＣ／ＤｉＰ１＜１、及び、０．２≦ＤｉＣ／ＤｉＰ２＜１の範囲を満たすように設定されているコンタクトレンズ製品。
【請求項３０】
前記シリコンハイドロゲルを調整する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ、４−（フェニルジアゼニル）フェニルメタクリレート、メチルメタクリレート及びエタノールを含む請求項２９に記載のコンタクトレンズ製品。
【請求項３１】
前記ヒドロゲルを調整する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール、トリメチロールプロパントリメタクリレート及びメタクリレートを含む請求項２９に記載のコンタクトレンズ製品。
【請求項３２】
前記ヒドロゲルを調整する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール、トリメチロールプロパントリメタクリレート及び２−メチル−２−プロペン酸−２，３−ジヒドロキシプロピルを含む請求項２９に記載のコンタクトレンズ製品。
【請求項３３】
前記ヒドロゲルを調整する組成物は、ヒドロキシエチルメタクリレート、４−（フェニルジアゼニル）フェニルメタクリレート、エチレングリコールジメタクリレート、２−ヒドロキシ−２−メチル−プロピオフェノン、グリセロール及びＮ−ビニル−２−ピロリドンを含む請求項２９に記載のコンタクトレンズ製品。
【発明の詳細な説明】
【技術分野】
【０００１】
本発明は、コンタクトレンズ製品に関し、特に、近視を予防し又は近視の発展を制御可能なコンタクトレンズ製品に関する。
【背景技術】
【０００２】
世界保健機関（Ｗｏｒｌｄ  Ｈｅａｌｔｈ  Ｏｒｇａｎｉｚａｔｉｏｎ：ＷＨＯ）からのデータによると、世界各国の近視罹患率が８％〜６２％にある。台湾にわたって調査すると、１８歳以下の青少年・子供の近視率が８５％にもあり、近視の発病率が明らかに他の国家を超えている。近年の高度に発達した３Ｃ電子装置の原因で、幼児の目が早めに不適当に刺激されて目を酷使するからと考えられる。現在の検討によると、幼児は、一旦早発性近視になると、近視度数がその後で一定の速度で強くなる。また、検討によると、近視になる年齢が小さいほど、将来、強度近視（６．０Ｄ以上）になる確率が高い。強度近視患者になれば、更に網膜剥離、緑内障等のひどい併発症が生じる可能性がある。そのため、幼児が偽近視になることに気づくと、直ちに近視の制御や緩解を行えば、偽近視の近視への変化を効果的に避け、更に強度近視の発生を予防することができる。
【発明の概要】
【発明が解決しようとする課題】
【０００３】
近視は、主に、眼球の光学構造の変異によるものである。光学映像の形成は、主に、眼球の角膜、水晶体、眼球の奥行き等の要素にかかわる。健常者の目は、映像が網膜に正確に焦点を結んではっきりした映像を得るが、近視患者は、角膜と水晶体とのディオプターが強すぎ（屈光性近視）又は眼軸が長すぎる（軸性近視）ことで、映像が網膜の前で焦点を結んで、映像がぼけてみえる近視症状となる。幼児・児童の近視症状は、近視と偽近視に分けられる。近視は、眼軸が長すぎる状況に属し、矯正によって回復することができない。しかし、偽近視は、毛様体筋を酷使する一時的な近視症状であり、矯正可能な近視症状に属する。臨床的には、主に、オルソＫレンズと持久性の散瞳薬等の、子供の偽近視を矯正するための様々な方法がある。しかし、オルソＫレンズでは、外部圧力が高すぎ、装用者が不快適になる。持久性の散瞳薬を単独に使用する場合、一般的に、近視の矯正効果を達成するためには高い濃度の分量が必要であるが、薬物副作用の発生率が対応的に向上する。
【０００４】
本発明は、このような点に鑑みて創作されたものであり、その目的は、多焦点コンタクトレンズと、特定濃度の毛様体筋麻痺剤を含む緩衝液と、を備えるコンタクトレンズ製品を提供することである。これにより、多焦点コンタクトレンズは、物理的な矯正を与えることができ、毛様体筋麻痺剤が毛様体筋を緩めることに寄与し、近視を効果的に予防し又は近視の発展を制御し、更に、装用の不快適感を避け、薬物副作用の発生率を低下させる。
【０００５】
本発明の別の目的は、高エネルギー青色光を吸収し、更に、網膜の青色光により傷つけられる確率を低下させることのできる多焦点コンタクトレンズを備えるコンタクトレンズ製品を提供することにある。
【０００６】
本発明によると、中心領域と、中心領域を同心的に取り囲み、ディオプターが中心領域のディオプターと異なる少なくとも１つの環状領域と、を含む多焦点コンタクトレンズと、多焦点コンタクトレンズを浸し、毛様体筋麻痺剤を含む緩衝液と、を備え、毛様体筋麻痺剤の緩衝液における重量百分率濃度ＣｏｎＡが０．０５％≦ＣｏｎＡ≦０．２５％の範囲を満たすコンタクトレンズ製品を提供する。また、多焦点コンタクトレンズの環状領域の数は２つであり、それぞれ第１の環状領域及び第２の環状領域であり、中心領域、第１の環状領域、第２の環状領域が中心から周辺まで同心円となるように順次に繋がっている。中心領域の直径をＤｉＣとし、第１の環状領域の外円直径をＤｉＰ１とし、第２の環状領域の外円直径をＤｉＰ２とする。多焦点コンタクトレンズは、４ｍｍ＜ＤｉＣ、０．１５≦ＤｉＣ／ＤｉＰ１＜１、及び、０．２≦ＤｉＣ／ＤｉＰ１＜１の範囲を満たすように設定されている。
【０００７】
本発明によると、更に、青色光吸収成分を含む組成物で調製された多焦点コンタクトレンズと、前記多焦点コンタクトレンズを浸し、毛様体筋麻痺剤を含む緩衝液と、を備えるコンタクトレンズ製品を提供する。
【０００８】
ＣｏｎＡが上記条件を満たす場合、毛様体筋麻痺剤の濃度が適当になり、毛様体筋を緩めることに寄与し、薬物副作用の発生率を低下させる。
【図面の簡単な説明】
【０００９】
【図１】本発明の第１実施形態によるコンタクトレンズ製品を示す模式図である。
【図２】図１に示す多焦点コンタクトレンズを示す平面模式図である。
【図３】本発明の第２実施形態による多焦点コンタクトレンズを示す平面模式図である。
【図４】本発明の第３実施形態による多焦点コンタクトレンズを示す平面模式図である。
【図５】第１の実施例の多焦点コンタクトレンズの半径とディオプターとの関係図である。
【図６】第２の実施例の多焦点コンタクトレンズの半径とディオプターとの関係図である。
【図７】第２の実施例の多焦点コンタクトレンズ及び第１の比較例の多焦点コンタクトレンズにおける波長と光透過率との関係図である。
【図８】第３の実施例の多焦点コンタクトレンズの半径とディオプターとの関係図である。
【図９】第４の実施例の多焦点コンタクトレンズの半径とディオプターとの関係図である。
【図１０】第４の実施例の多焦点コンタクトレンズ及び第２の比較例の多焦点コンタクトレンズにおける波長と光透過率との関係図である。
【図１１】第５の実施例の多焦点コンタクトレンズの半径とディオプターとの関係図である。
【図１２】第６の実施例の多焦点コンタクトレンズの半径とディオプターとの関係図である。
【図１３】第７の実施例の多焦点コンタクトレンズの半径とディオプターとの関係図である。
【図１４】第７の実施例の多焦点コンタクトレンズ及び第３の比較例の多焦点コンタクトレンズの波長と光透過率との関係図である。
【図１５】第８の実施例の多焦点コンタクトレンズの半径とディオプターとの関係図である。
【図１６】第９の実施例の多焦点コンタクトレンズの半径とディオプターとの関係図である。
【図１７】第１０の実施例の多焦点コンタクトレンズの半径とディオプターとの関係図である。
【図１８】第１１の実施例の多焦点コンタクトレンズの半径とディオプターとの関係図である。
【図１９】第１１の実施例の多焦点コンタクトレンズ及び第４の比較例の多焦点コンタクトレンズにおける波長と光透過率との関係図である。
【図２０】第１２の実施例の多焦点コンタクトレンズの半径とディオプターとの関係図である。
【図２１】第１２の実施例の多焦点コンタクトレンズ及び第５の比較例の多焦点コンタクトレンズにおける波長と光透過率との関係図である。
【発明を実施するための形態】
【００１０】
上記の図面の説明は、本発明又はその他の目的、特徴、利点、実施形態及び実施例を分かりやすくする。
図１を参照する。図１は、本発明の第１実施形態によるコンタクトレンズ製品１００を示す模式図である。
コンタクトレンズ製品１００は、多焦点コンタクトレンズ１１０と、多焦点コンタクトレンズ１１０を浸す緩衝液１２０と、を備える。
【００１１】
図２を参照する。図２は、図１に示す多焦点コンタクトレンズ１１０を示す平面模式図である。
多焦点コンタクトレンズ１１０は、中心領域１１１と、第１の環状領域１１２と、を含む。
第１の環状領域１１２は、中心領域１１１を同心的に取り囲み、ディオプターが中心領域１１１のディオプターと異なる。これにより、多焦点コンタクトレンズ１１０に多焦点の機能を付与し、周辺の映像が網膜の前に焦点を結ぶようにして、眼球の軸距延長を効果的に緩解し、近視の悪化を避けることができる。本発明の一実施例によると、中心領域１１１のディオプターは一定である。
【００１２】
多焦点コンタクトレンズ１１０の中心領域１１１と第１の環状領域１１２との少なくとも一方が非球面である。これにより、第１の環状領域２１２をディオプターが段階的に漸変するように設計することに寄与する。
【００１３】
再度、図１を参照する。
緩衝液１２０は、毛様体筋麻痺剤を含み、毛様体筋麻痺剤の緩衝液１２０における重量百分率濃度ＣｏｎＡが０＜ＣｏｎＡ≦１％の範囲を満たすように設定されている。これにより、毛様体筋麻痺剤の濃度が適当になり、毛様体筋を緩めることに寄与し、薬物副作用の発生率を低下させる。又は、０＜ＣｏｎＡ≦０．５％を満たしてもよい。或いは、０＜ＣｏｎＡ≦０．２５％を満たしてもよい。又は、０＜ＣｏｎＡ≦０．１％を満たしてもよい。更に又は、０＜ＣｏｎＡ≦０．０５％を満たしてもよい。更に又は、０＜ＣｏｎＡ≦０．０１％を満たしてもよい。緩衝液１２０の調製方法として、まず、市販のコンタクトレンズを浸し、保存するための溶液をレシピとして、ベース溶液を調合して、ベース溶液に毛様体筋麻痺剤を所望の濃度まで加える。また、ベース溶液と毛様体筋麻痺剤とは化学反応しない。
【００１４】
コンタクトレンズ製品１００によると、多焦点コンタクトレンズ１１０を調製する組成物は、青色光吸収成分を含んでもよい。これにより、多焦点コンタクトレンズ１１０は、高エネルギー青色光を吸収し、更に、網膜の青色光により傷つけられる確率を低下させる。本発明の一実施例によると、青色光吸収成分は、４−（フェニルジアゼニル）フェニルメタクリレート（４−（ｐｈｅｎｙｌｄｉａｚｅｎｙｌ）ｐｈｅｎｙｌ  ｍｅｔｈａｃｒｙｌａｔｅ）であってもよい。
【００１５】
コンタクトレンズ製品１００によると、多焦点コンタクトレンズ１１０を調製する組成物は、紫外線（ＵＶ；Ｕｌｔｒａｖｉｏｌｅｔ）吸収成分を含んでもよい。ＵＶ吸収成分は、２−［３−（２Ｈ−ベンゾトリアゾール−２−イル）−４−ヒドロキシフェニル］エチル２−メタクリレート（２−［３−（２Ｈ−ｂｅｎｚｏｔｒｉａｚｏｌ−２−ｙｌ）−４−ｈｙｄｒｏｘｙｐｈｅｎｙｌ］ｅｔｈｙｌ  ｍｅｔｈａｃｒｙｌａｔｅ）、４−メタクリロキシ−２−ヒドロキシベンゾフェノン（４−ｍｅｔｈａｃｒｙｌｏｘｙ−２−ｈｙｄｒｏｘｙｂｅｎｚｏｐｈｅｎｏｎｅ）、２−フェニルエチルアクリレート（２−ｐｈｅｎｙｌｅｔｈｙｌ  ａｃｒｙｌａｔｅ）、２−フェニルエチルメタクリレート（２−ｐｈｅｎｙｌｅｔｈｙｌ  ｍｅｔｈａｃｒｙｌａｔｅ）、２−［２−ヒドロキシ−５−［２−（メタクリロキシ）エチル］フェニル］−２Ｈ−ベンゾトリアゾール（２−（２´ｈｙｄｒｏｘｙ−５´ｍｅｔｈａｃｒｙｌｏｘｙｅｔｈｙｌｐｈｅｎｙｌ）−２Ｈ−ｂｅｎｚｏｔｒｉａｚｏｌｅ）又は２−（４−ベンゾイル−３−ヒドロキシフェノキシ）エチルアクリレート（２−（４−ｂｅｎｚｏｙｌ−３−ｈｙｄｒｏｘｙｐｈｅｎｏｘｙ）ｅｔｈｙｌ  ａｃｒｙｌａｔｅ）であってもよいが、それらに限定されない。これにより、多焦点コンタクトレンズ１１０は、高エネルギーＵＶ光を吸収し、更に、網膜のＵＶ光により傷つけられる確率を低下させる。本発明の一実施例によると、ＵＶ吸収成分は、２−［２−ヒドロキシ−５−［２−（メタクリロキシ）エチル］フェニル］−２Ｈ−ベンゾトリアゾールである。本発明の別の実施例によると、ＵＶ吸収成分は、２−（４−ベンゾイル−３−ヒドロキシフェノキシ）エチルアクリレートである。ＵＶ吸収成分を１種単独で用いてもよいし、併用しても構わない。
【００１６】
コンタクトレンズ製品１００によると、多焦点コンタクトレンズ１１０の材質は、シリコンハイドロゲル（ｓｉｌｉｃｏｎｅ  ｈｙｄｒｏｇｅｌ）であってもよい。これにより、多焦点コンタクトレンズ１１０の酸素透過率を効果的に向上させ、角膜の酸素欠乏による赤目、充血、赤腫等の現象を避けて、長時間快適な装用感を与えることができる。シリコンハイドロゲルは、例えば、Ｂａｌａｆｉｌｃｏｎ  Ａ、Ｃｏｍｆｉｌｃｏｎ  Ａ、Ｅｆｒｏｆｉｌｃｏｎ  Ａ、Ｅｎｆｉｌｃｏｎ  Ａ、Ｇａｌｙｆｉｌｃｏｎ  Ａ、Ｌｏｔｒａｆｉｌｃｏｎ  Ａ、Ｌｏｔｒａｆｉｌｃｏｎ  Ｂ、Ｎａｒａｆｉｌｃｏｎ  Ａ、Ｎａｒａｆｉｌｃｏｎ  Ｂ、Ｓｅｎｏｆｉｌｃｏｎ  Ａ、Ｄｅｌｅｆｉｌｃｏｎ  Ａ、Ｓｏｍｏｆｉｌｃｏｎ  Ａ等の、米国食品医薬品局（Ｆｏｏｄ  ａｎｄ  Ｄｒｕｇ  Ａｄｍｉｎｉｓｔｒａｔｉｏｎ；ＵＳＦＤＡ）により第５群に分類されたコンタクトレンズ材料であってもよいが、それらに限定されない。
【００１７】
シリコンハイドロゲルを調製する組成物は、ヒドロキシエチルメタクリレート（２−ｈｙｄｒｏｘｙｅｔｈｙｌ  ｍｅｔｈａｃｒｙｌａｔｅ）、３−メタクリロキシプロピルトリス（トリメチルシリルオキシ）シラン（３−ｍｅｔｈａｃｒｙｌｏｙｌｏｘｙｐｒｏｐｙｌｔｒｉｓ（ｔｒｉｍｅｔｈｙｌｓｉｌｙｌｏｘｙ）ｓｉｌａｎｅ）、２−ヒドロキシ−２−メチル−プロピオフェノン（２−ｈｙｄｒｏｘｙ−２−ｍｅｔｈｙｌ−ｐｒｏｐｉｏｐｈｅｎｏｎｅ）、Ｎ−ビニル−２−ピロリドン（Ｎ−ｖｉｎｙｌ−２−ｐｙｒｒｏｌｉｄｉｎｏｎｅ）、Ｎ，Ｎ−ジメチルアクリルアミド（Ｎ，Ｎ−ｄｉｍｅｔｈｙｌ  ａｃｒｙｌａｍｉｄｅ）、エチレングリコールジメタクリレート（ｅｔｈｙｌｅｎｅ  ｇｌｙｃｏｌ  ｄｉｍｅｔｈａｃｒｙｌａｔｅ）、（３−メタクリロキシ−２−ヒドロキシプロポキシ）プロピルビス（トリメチルシロキシ）メチルシラン（３−（３−ｍｅｔｈａｃｒｙｌｏｘｙ−２−ｈｙｄｒｏｘｙｐｒｏｐｏｘｙ）ｐｒｏｐｙｌｂｉｓ（ｔｒｉｍｅｔｈｙｌｓｉｌｏｘｙ）ｍｅｔｈｙｌｓｉｌａｎｅ）、イソプロピルアルコール（ｉｓｏｐｒｏｐｙｌ  ａｌｃｏｈｏｌ）及びメタクリレート（ｍｅｔｈａｃｒｙｌｉｃ  ａｃｉｄ）を含んでもよい。
【００１８】
好ましくは、各成分のシリコンハイドロゲルの組成物における重量百分率として、ヒドロキシエチルメタクリレートが０．０５％〜２５％であり、３−メタクリロキシプロピルトリス（トリメチルシリルオキシ）シランが０．１％〜４０％であり、２−ヒドロキシ−２−メチル−プロピオフェノンが０．０１％〜５％であり、Ｎ−ビニル−２−ピロリドンが０．１％〜３５％であり、Ｎ，Ｎ−ジメチルアクリルアミドが０．１％〜４０％であり、エチレングリコールジメタクリレートが０．０１％〜５％であり、（３−メタクリロキシ−２−ヒドロキシプロポキシ）プロピルビス（トリメチルシロキシ）メチルシランが０．１％〜３０％であり、イソプロピルアルコールが０．１％〜３０％であり、メタクリレートが０．０１％〜５％である。
【００１９】
より好ましくは、各成分のシリコンハイドロゲルの組成物における重量百分率として、ヒドロキシエチルメタクリレートが０．１％〜１０％であり、３−メタクリロキシプロピルトリス（トリメチルシリルオキシ）シランが１％〜４０％であり、２−ヒドロキシ−２−メチル−プロピオフェノンが０．１％〜２％であり、Ｎ−ビニル−２−ピロリドンが１％〜３５％であり、Ｎ，Ｎ−ジメチルアクリルアミドが１％〜２０％であり、エチレングリコールジメタクリレートが０．１％〜２％であり、（３−メタクリロキシ−２−ヒドロキシプロポキシ）プロピルビス（トリメチルシロキシ）メチルシランが１％〜３０％であり、イソプロピルアルコールが１％〜２０％であり、メタクリレートが０．１％〜２％である。
【００２０】
シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、エチレングリコールジメタクリレート、３−アクリルオキシ−２−ヒドロキシプロポキシプロピル基封鎖のポリジメチルシロキサン（（３−ａｃｒｙｌｏｘｙ−２−ｈｙｄｒｏｘｙｐｒｏｐｏｘｙｐｒｏｐｙｌ）ｔｅｒｍｉｎａｔｅｄ  ｐｏｌｙｄｉｍｅｔｈｙｌｓｉｌｏｘａｎｅ）及び１−ヘキサノール（１−ｈｅｘａｎｏｌ）を含んでもよい。
【００２１】
好ましくは、各成分のシリコンハイドロゲルの組成物における重量百分率として、ヒドロキシエチルメタクリレートが０．０５％〜２５％であり、３−メタクリロキシプロピルトリス（トリメチルシリルオキシ）シランが０．１％〜４０％であり、２−ヒドロキシ−２−メチル−プロピオフェノンが０．０１％〜５％であり、Ｎ−ビニル−２−ピロリドンが０．１％〜３５％であり、Ｎ，Ｎ−ジメチルアクリルアミドが０．１％〜４０％であり、エチレングリコールジメタクリレートが０．０１％〜５％であり、３−アクリルオキシ−２−ヒドロキシプロポキシプロピル基封鎖のポリジメチルシロキサンが０．１％〜４０％であり、１−ヘキサノールが０．１％〜３０％である。
【００２２】
より好ましくは、各成分のシリコンハイドロゲルの組成物における重量百分率として、ヒドロキシエチルメタクリレートが０．１％〜１０％であり、３−メタクリロキシプロピルトリス（トリメチルシリルオキシ）シランが１％〜４０％であり、２−ヒドロキシ−２−メチル−プロピオフェノンが０．１％〜２％であり、Ｎ−ビニル−２−ピロリドンが１％〜３５％であり、Ｎ，Ｎ−ジメチルアクリルアミドが１％〜２０％であり、エチレングリコールジメタクリレートが０．１％〜２％であり、３−アクリルオキシ−２−ヒドロキシプロポキシプロピル基封鎖のポリジメチルシロキサンが１％〜４０％であり、１−ヘキサノールが１％〜３０％である。
【００２３】
シリコンハイドロゲルを調製する組成物は、ヒドロキシエチルメタクリレート、３−メタクリロキシプロピルトリス（トリメチルシリルオキシ）シラン、２−ヒドロキシ−２−メチル−プロピオフェノン、Ｎ−ビニル−２−ピロリドン、Ｎ，Ｎ−ジメチルアクリルアミド、ジメチルシロキサン変性ポリシロキサンマクロマ（ｐｏｌｙｓｉｌｏｘａｎｅ  ｍａｃｒｏｍｅｒ）、メチルメタクリレート（ｍｅｔｈｙｌ  ｍｅｔｈａｃｒｙｌａｔｅ）及びエタノール（ｅｔｈａｎｏｌ）を含んでもよい。
【００２４】
好ましくは、各成分のシリコンハイドロゲルの組成物における重量百分率として、ヒドロキシエチルメタクリレートが０．０５％〜２５％であり、３−メタクリロキシプロピルトリス（トリメチルシリルオキシ）シランが０．１％〜４０％であり、２−ヒドロキシ−２−メチル−プロピオフェノンが０．０１％〜５％であり、Ｎ−ビニル−２−ピロリドンが０．１％〜３５％であり、Ｎ，Ｎ−ジメチルアクリルアミドが０．１％〜４０％であり、ジメチルシロキサン変性ポリシロキサンマクロマが０．１％〜４０％であり、メチルメタクリレートが０．１％〜２０％であり、エタノールが０．１％〜３０％である。
【００２５】
より好ましくは、各成分のシリコンハイドロゲルの組成物における重量百分率として、ヒドロキシエチルメタクリレートが０．１％〜１０％であり、３−メタクリロキシプロピルトリス（トリメチルシリルオキシ）シランが１％〜４０％であり、２−ヒドロキシ−２−メチル−プロピオフェノンが０．１％〜２％であり、Ｎ−ビニル−２−ピロリドンが１％〜３５％であり、Ｎ，Ｎ−ジメチルアクリルアミドが１％〜２０％であり、ジメチルシロキサン変性ポリシロキサンマクロマが１％〜４０％であり、メチルメタクリレートが１％〜１０％であり、エタノールが１％〜２０％である。
【００２６】
本発明の一実施例によると、シリコンハイドロゲルの組成物は、青色光吸収成分又はＵＶ吸収成分を更に含んでもよい。好ましくは、青色光吸収成分又はＵＶ吸収成分のシリコンハイドロゲルの組成物における重量百分率が０．０１％〜１０％であり、より好ましくは０．１％〜５％である。
【００２７】
各成分のシリコンハイドロゲルにおける割合を調整することによって、多焦点コンタクトレンズ１１０の酸素透過率と硬度を効果的に向上させる。また、シリコンハイドロゲルの組成物には、実際の要求に応じて他の成分を添加してもよい。
【００２８】
コンタクトレンズ製品１００によると、多焦点コンタクトレンズ１１０の材質は、ヒドロゲル（ｈｙｄｒｏｇｅｌ）であってもよい。これにより、多焦点コンタクトレンズ１１０の湿潤感、スムーズ感及び柔らかく快適な潤い感を維持し、長時間に装用し、装用時の異物感を避けることができる。
ヒドロゲルは、例えば、Ｈｅｌｆｉｌｃｏｎ  Ａ＆Ｂ、Ｈｉｏｘｉｆｉｌｃｏｎ  Ｂ、Ｍａｆｉｌｃｏｎ、Ｐｏｌｙｍａｃｏｎ、Ｔｅｆｉｌｃｏｎ、Ｔｅｔｒａｆｉｌｃｏｎ  Ａ等と呼ばれる材料のような、米国食品医薬品局により第１群に分類されたコンタクトレンズ材料、つまり低水分率（５０重量％より小さい）の非イオン性重合体（ｎｏｎｉｏｎｉｃ  ｐｏｌｙｍｅｒ）であってもよい。
又は、ヒドロゲルは、例えば、Ａｃｏｆｉｌｃｏｎ  Ａ、Ａｌｆａｆｉｌｃｏｎ  Ａ、Ｈｉｌａｆｉｌｃｏｎ  Ｂ、Ｈｉｏｘｉｆｉｌｃｏｎ  Ａ、Ｈｉｏｘｉｆｉｌｃｏｎ  Ｂ、Ｈｉｏｘｉｆｉｌｃｏｎ  Ｄ、Ｎｅｌｆｉｌｃｏｎ  Ａ、Ｎｅｓｏｆｉｌｃｏｎ  Ａ、Ｏｍａｆｉｌｃｏｎ  Ａ及びＳａｍｆｉｌｃｏｎ  Ａ等と呼ばれる材料のような、米国食品医薬品局により第２群に分類されたコンタクトレンズ材料、つまり高水分率（５０重量より大きい）の非イオン性重合体であってもよい。
又は、ヒドロゲルは、例えば、米国食品医薬品局により第３群に分類されたコンタクトレンズ材料、つまり低水分率（５０重量％より小さい）のイオン重合体（ｉｏｎｉｃ  ｐｏｌｙｍｅｒ）、と呼ばれるＤｅｌｔａｆｉｌｃｏｎ  Ａ等の材料である。
又は、ヒドロゲルは、例えば、Ｅｔａｆｉｌｃｏｎ  Ａ、Ｆｏｃｏｆｉｌｃｏｎ  Ａ、Ｍｅｔｈａｆｉｌｃｏｎ  Ａ、Ｍｅｔｈａｆｉｌｃｏｎ  Ｂ、Ｏｃｕｆｉｌｃｏｎ  Ａ、Ｏｃｕｆｉｌｃｏｎ  Ｂ、ＯｃｕｆｉｌｃｏｎＣ、Ｏｃｕｆｉｌｃｏｎ  Ｄ、Ｏｃｕｆｉｌｃｏｎ  Ｅ、Ｐｈｅｍｆｉｌｃｏｎ  Ａ、Ｖｉｆｉｌｃｏｎ  Ａ等と呼ばれる材料のような、米国食品医薬品局により第４群として許可されたコンタクトレンズ材料、つまり高水分率（５０重量より大きい）のイオン重合体であってもよい。
【００２９】
ヒドロゲルを調製する組成物は、ヒドロキシエチルメタクリレート、エチレングリコールジメタクリレート、２−ヒドロキシ−２−メチル−プロピオフェノン、グリセロール（ｇｌｙｃｅｒｏｌ）、トリメチロールプロパントリメタクリレート（１，１，１−ｔｒｉｍｅｔｈｙｌｏｌ  ｐｒｏｐａｎｅ  ｔｒｉｍｅｔｈａｃｒｙｌａｔｅ）及びメタクリレートを含んでもよい。
【００３０】
好ましくは、各成分のヒドロゲルの組成物における重量百分率として、ヒドロキシエチルメタクリレートが１０％〜９６％であり、エチレングリコールジメタクリレートが０．０１％〜５％であり、２−ヒドロキシ−２−メチル−プロピオフェノンが０．０１％〜５％であり、グリセロールが０．１％〜３０％であり、トリメチロールプロパントリメタクリレートが０．０１％〜５％であり、メタクリレートが０．０１％〜５％である。
【００３１】
より好ましくは、各成分のヒドロゲルの組成物における重量百分率として、ヒドロキシエチルメタクリレートが４０％〜９６％であり、エチレングリコールジメタクリレートが０．１％〜２％であり、２−ヒドロキシ−２−メチル−プロピオフェノンが０．１％〜２％であり、グリセロールが０．１％〜２０％であり、トリメチロールプロパントリメタクリレートが０．１％〜２％であり、メタクリレートが０．１％〜２％である。
【００３２】
ヒドロゲルを調製する組成物は、ヒドロキシエチルメタクリレート、エチレングリコールジメタクリレート、２−ヒドロキシ−２−メチル−プロピオフェノン、グリセロール、トリメチロールプロパントリメタクリレート及び２−メチル−２−プロペン酸−２，３−ジヒドロキシプロピル（ｇｌｙｃｅｒｏｌ  ｍｏｎｏｍｅｔｈａｃｒｙｌａｔｅ）を含んでもよい。
【００３３】
好ましくは、各成分のヒドロゲルの組成物における重量百分率として、ヒドロキシエチルメタクリレートが１０％〜９４．８７％であり、エチレングリコールジメタクリレートが０．０１％〜５％であり、２−ヒドロキシ−２−メチル−プロピオフェノンが０．０１％〜５％であり、グリセロールが０．１％〜３０％であり、トリメチロールプロパントリメタクリレートが０．０１％〜５％であり、２−メチル−２−プロペン酸−２，３−ジヒドロキシプロピルが５％〜６０％である。
【００３４】
より好ましくは、各成分のヒドロゲルの組成物における重量百分率として、ヒドロキシエチルメタクリレートが４０％〜７９．６％であり、エチレングリコールジメタクリレートが０．１％〜２％であり、２−ヒドロキシ−２−メチル−プロピオフェノンが０．１％〜２％であり、グリセロールが０．１％〜２０％であり、トリメチロールプロパントリメタクリレートが０．１％〜２％であり、２−メチル−２−プロペン酸−２，３−ジヒドロキシプロピルが２０％〜５０％である。
【００３５】
ヒドロゲルを調製する組成物は、ヒドロキシエチルメタクリレート、エチレングリコールジメタクリレート、２−ヒドロキシ−２−メチル−プロピオフェノン、グリセロール及びＮ−ビニル−２−ピロリドンを含んでもよい。
【００３６】
好ましくは、各成分のヒドロゲルの組成物における重量百分率として、ヒドロキシエチルメタクリレートが１０％〜９６％であり、エチレングリコールジメタクリレートが０．０１％〜５％であり、２−ヒドロキシ−２−メチル−プロピオフェノンが０．０１％〜５％であり、グリセロールが０．１％〜３０％であり、Ｎ−ビニル−２−ピロリドンが０．１％〜２５％である。
【００３７】
より好ましくは、各成分のヒドロゲルの組成物における重量百分率として、ヒドロキシエチルメタクリレートが４０％〜９６％であり、エチレングリコールジメタクリレートが０．１％〜２％であり、２−ヒドロキシ−２−メチル−プロピオフェノンが０．１％〜２％であり、グリセロールが１％〜２０％であり、Ｎ−ビニル−２−ピロリドンが０．１％〜１０％である。
【００３８】
本発明の一実施例によると、ヒドロゲルの組成物は、青色光吸収成分又はＵＶ吸収成分を更に含んでもよい。好ましくは、ヒドロゲルの組成物における青色光吸収成分又はＵＶ吸収成分の重量百分率が０．０１％〜１０％であり、より好ましくは、０．１％〜５％である。
【００３９】
ヒドロゲルにおける各成分の割合を調整することによって、多焦点コンタクトレンズ１１０の水分率と軟化度を効果的に向上させる。また、ヒドロゲルの組成物には、実際の要求に応じて他の成分を添加してもよい。
例えば、ヒドロキシエチルメタクリレート、メタクリレート、２−メチル−２−プロペン酸−２，３−ジヒドロキシプロピル、Ｎ−ビニル−２−ピロリドン、３−メタクリロキシプロピルトリス（トリメチルシリルオキシ）シラン、Ｎ，Ｎ−ジメチルアクリルアミド、（３−メタクリロキシ−２−ヒドロキシプロポキシ）プロピルビス（トリメチルシロキシ）メチルシラン、３−アクリルオキシ−２−ヒドロキシプロポキシプロピル基封鎖のポリジメチルシロキサン、メチルメタクリレート等の、ヒドロゲル組成物とシリコンハイドロゲル組成物とに用いられる単量体に、実際の要求に応じて、互に切り替えてもよい。
【００４０】
再度、図２を参照する。
多焦点コンタクトレンズ１１０の中心領域１１１の直径ＤｉＣは、４ｍｍ≦ＤｉＣ≦１０ｍｍを満たしてもよい。これにより、異なる生理状態での瞳孔の大きさによって柔軟的に調整し、中心領域１１１による近視矯正の正確度を向上させて、映像を網膜に完璧ではっきりに示すことができる。好ましくは、５ｍｍ≦ＤｉＣ≦９ｍｍを満たしてもよい。
【００４１】
多焦点コンタクトレンズ１１０の第１の環状領域１１２の外円直径ＤｉＰ１は、６ｍｍ≦ＤｉＰ１≦１７ｍｍを満たしてもよい。これにより、まぶたの間である瞼裂の大きさによって柔軟的に調整して、多焦点コンタクトレンズ１１０に適当なフィット感を与え、多焦点コンタクトレンズ１１０の装用後の安定度を向上させる。好ましくは、７ｍｍ≦ＤｉＰ１≦１５ｍｍを満たしてもよい。
【００４２】
多焦点コンタクトレンズ１１０の中心領域１１１の直径ＤｉＣと、多焦点コンタクトレンズ１１０の第１の環状領域１１２の外円直径ＤｉＰ１とは、０．１５≦ＤｉＣ／ＤｉＰ１＜１を満たしてもよい。これにより、ＤｉＣ／ＤｉＰ１の大きさが適当になり、個人眼球の生理状况によって適当な多焦点コンタクトレンズ１１０を設計することに寄与し、更に、近視矯正に寄与する。
【００４３】
多焦点コンタクトレンズ１１０の中心領域１１１のディオプターＰｏｗＣは、−６．００Ｄ≦ＰｏｗＣ≦−０．２５Ｄを満たしてもよい。これにより、使用者の要求に応じて、適当な近視の矯正度数を与え、更に、はっきりした映像を与えることができる。
【００４４】
多焦点コンタクトレンズ１１０の第１の環状領域１１２の最大ディオプターＰｏｗＰ１は、−５．５０Ｄ≦ＰｏｗＰ１≦−０．５０Ｄを満たしてもよい。これにより、第１の環状領域１１２の最大ディオプターを適当に設計することができ、近視矯正に寄与する。
【００４５】
多焦点コンタクトレンズ１１０の中心領域１１１のディオプターＰｏｗＣと、多焦点コンタクトレンズ１１０の第１の環状領域１１２の最大ディオプターＰｏｗＰ１とは、｜ＰｏｗＣ−ＰｏｗＰ１｜≦１２Ｄを満たしてもよい。これにより、近視矯正に寄与し、第１の環状領域１１２のディオプター幅の増加を緩解し、最大ディオプターの大き過ぎる増加幅による不快適を避けることができる。又は、｜ＰｏｗＣ−ＰｏｗＰ１｜≦１０Ｄ。或いは、｜ＰｏｗＣ−ＰｏｗＰ１｜≦５Ｄ。更に又は、｜ＰｏｗＣ−ＰｏｗＰ１｜≦３Ｄ。更に又は、｜ＰｏｗＣ−ＰｏｗＰ１｜≦２Ｄを満たしてもよい。更に又は、｜ＰｏｗＣ−ＰｏｗＰ１｜≦１．５Ｄを満たしてもよい。更に又は、｜ＰｏｗＣ−ＰｏｗＰ１｜≦１Ｄを満たしてもよい。更に又は、｜ＰｏｗＣ−ＰｏｗＰ１｜≦０．５Ｄを満たしてもよい。更に又は、｜ＰｏｗＣ−ＰｏｗＰ１｜≦０．２５Ｄを満たしてもよい。
【００４６】
図３をする。図３は、本発明の第２実施形態による多焦点コンタクトレンズ２１０を示す平面模式図である。
多焦点コンタクトレンズ２１０は、中心から周辺まで同心円となるように順次に繋がる中心領域２１１、第２の環状領域２１３、第１の環状領域２１２を含む。中心領域２１１の直径がＤｉＣであり、第１の環状領域２１２の外円直径がＤｉＰ１であり、第２の環状領域２１３の外円直径がＤｉＰ２である。第２の環状領域２１３のディオプターが中心領域２１１のディオプターと異なり、第１の環状領域２１２のディオプターが中心領域２１１のディオプターと異なる。これにより、多焦点コンタクトレンズ２１０に多焦点の機能を付与し、周辺の映像が網膜の前に焦点を結ぶようにして、眼球の軸距延長を効果的に緩解し、近視の悪化を避けることができる。本発明の一実施例による多焦点コンタクトレンズ２１０では、中心領域２１１のディオプターは一定である。
【００４７】
中心領域２１１、第１の環状領域２１２と第２の環状領域２１３の少なくとも一方が非球面であってもよい。これにより、第１の環状領域２１２及び／又は第２の環状領域２１３をディオプターが段階的に漸変するように設計することに寄与する。
【００４８】
多焦点コンタクトレンズ２１０の第２の環状領域２１３の外円直径がＤｉＰ２であり、５ｍｍ≦ＤｉＰ２≦１３ｍｍを満たしてもよい。これにより、ディオプターの増加幅を効果的に緩和させる。好ましくは、６ｍｍ≦ＤｉＰ２≦１２ｍｍを満たしてもよい。
【００４９】
多焦点コンタクトレンズ２１０の中心領域２１１の直径ＤｉＣと、多焦点コンタクトレンズ２１０の第２の環状領域２１３の外円直径ＤｉＰ２とは、０．２≦ＤｉＣ／ＤｉＰ２＜１を満たしてもよい。これにより、第２の環状領域２１３のディオプターの増加幅を効果的に緩解し、ディオプターの大き過ぎる増加幅による不快適を少なくすることができる。
【００５０】
多焦点コンタクトレンズ２１０の他の性質については、多焦点コンタクトレンズ１１０と同じであるので、ここで詳しく説明しない。
【００５１】
図４を参照する。図４は、本発明の第３実施形態による多焦点コンタクトレンズ３１０を示す平面模式図である。
多焦点コンタクトレンズ３１０は、中心から周辺まで同心円となるように順次に繋がる中心領域３１１、第３の環状領域３１４、第２の環状領域３１３、第１の環状領域３１２を含む。中心領域３１１の直径がＤｉＣであり、第１の環状領域３１２の外円直径がＤｉＰ１であり、第２の環状領域３１３の外円直径がＤｉＰ２であり、第３の環状領域３１４の外円直径がＤｉＰ３である。第３の環状領域３１４のディオプターが中心領域３１１のディオプターと異なり、第２の環状領域３１３のディオプターが中心領域３１１のディオプターと異なり、第１の環状領域３１２のディオプターが中心領域３１１のディオプターと異なる。これにより、多焦点コンタクトレンズ３１０に多焦点の機能を付与し、周辺の映像が網膜の前に焦点を結ぶようにして、眼球の軸距延長を効果的に緩解し、近視の悪化を避けることができる。本発明の第３実施形態によると、中心領域３１１のディオプターは一定である。
【００５２】
図２、図３及び図４から、本発明に係る多焦点コンタクトレンズでは、中心領域（１１１、２１１、３１１）の外部に少なくとも１つの環状領域（第１の環状領域（１１２、２１２、３１２）、第２の環状領域（２１３、３１３）、第３の環状領域（３１４））が同心円となるように環設されることが判明される。環状領域の数及びそのディオプターの配置については、近視の矯正效果を向上させ、近視を効果的に予防し又は近視の発展を制御するために、個人眼球の生理状况に応じて柔軟的に調整してもよい。
【００５３】
本発明によると、更に、青色光吸収成分を含む組成物で調製された多焦点コンタクトレンズを含むコンタクトレンズ製品を提供する。これにより、多焦点コンタクトレンズは、高エネルギー青色光を吸収し、更に、網膜の青色光により傷つけられる確率を低下させる。青色光吸収成分、多焦点コンタクトレンズの材質及び多焦点コンタクトレンズの他の細部については、図１、図２、図３及び図４に示す内容の通りであるので、ここで詳しく説明しない。
【００５４】
＜第１の実施例＞
第１の実施例の多焦点コンタクトレンズは、中心領域及び第１の環状領域を含む。第１の環状領域が中心領域を同心的に取り囲み、中心領域及び第１の環状領域の少なくとも一方が非球面である。第１の実施例の多焦点コンタクトレンズの構造については、図２を参照する。
【００５５】
第１の実施例の多焦点コンタクトレンズにおいて、中心領域の直径がＤｉＣであり、第１の環状領域の外円直径がＤｉＰ１であり、中心領域のディオプターがＰｏｗＣであり、第１の環状領域の最大ディオプターがＰｏｗＰ１である。第１の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の数値については、表１を参照する。
【表１】
0006585567.tif 000002
【００５６】
表２及び図５を同時に参照する。第１の実施例の多焦点コンタクトレンズの半径及びそれに対応するディオプターを表２に示す。図５は、第１の実施例の多焦点コンタクトレンズの半径とディオプターとの関係図である（負値がただ反対方向の半径距離を意味する）。
表２及び図５から、中心領域のディオプターが一定であり、第１の環状領域のディオプターが中心領域のディオプターと異なり、具体的には、第１の環状領域のディオプターが中心領域のディオプターより大きく、第１の環状領域のディオプターが中心領域から離れるに連れて次第に増えることが判明される。
【表２】
0006585567.tif 000003
【００５７】
第１の実施例の多焦点コンタクトレンズの材質はヒドロゲルである。第１の実施例のヒドロゲルを調製する組成物については、表３を参照する。
【表３】
0006585567.tif 000004
【００５８】
表３から、２−［２−ヒドロキシ−５−［２−（メタクリロキシ）エチル］フェニル］−２Ｈ−ベンゾトリアゾールを加えることで、第１の実施例の多焦点コンタクトレンズがＵＶ光を吸収できることが判明される。
【００５９】
＜第２の実施例＞
第２の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第２の実施例の多焦点コンタクトレンズの構造については、図３を参照する。
【００６０】
第２の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。第２の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表４を参照する。
【表４】
0006585567.tif 000005
【００６１】
表５及び図６を同時に参照する。第２の実施例の多焦点コンタクトレンズの半径及びそれに対応するディオプターを表５に示す。図６は、第２の実施例の多焦点コンタクトレンズの半径とディオプターとの関係図である（負値がただ反対方向の半径距離を意味する）。
表５及び図６から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れることに連れて次第に増え、第１の環状領域のディオプターが中心領域のディオプターより大きく、第１の環状領域のディオプターが一定であることが判明される。
【表５】
0006585567.tif 000006
【００６２】
第２の実施例の多焦点コンタクトレンズの材質はヒドロゲルである。第２の実施例のヒドロゲルを調製する組成物については、表６Ａを参照する。
【表６Ａ】
0006585567.tif 000007
【００６３】
表６Ａから、２−［２−ヒドロキシ−５−［２−（メタクリロキシ）エチル］フェニル］−２Ｈ−ベンゾトリアゾールを加えることで、第２の実施例の多焦点コンタクトレンズがＵＶ光を吸収できることが判明される。
【００６４】
図７を参照する。図７は、第２の実施例の多焦点コンタクトレンズ及び第１の比較例の多焦点コンタクトレンズにおける波長と光透過率との関係図である。
第１の比較例は、ＵＶ吸収成分が加えられていないことに、第２の実施例と異なっている。具体的には、第１の比較例では、２−［２−ヒドロキシ−５−［２−（メタクリロキシ）エチル］フェニル］−２Ｈ−ベンゾトリアゾールの代わりにヒドロキシエチルメタクリレートを用いた。
図７から、（１−波長３１６〜３８０ｎｍの平均透過率）×１００［％］によって、第１の比較例及び第２の実施例の多焦点コンタクトレンズのＵＶ−Ａ（波長範囲３１６ｎｍ〜３８０ｎｍのＵＶ光）に対する遮断率を推定できる。また、（１−２８０ｎｍ〜３１５ｎｍの平均透過率）×１００［％］によって、第１の比較例及び第２の実施例の多焦点コンタクトレンズのＵＶ−Ｂ（波長範囲２８０ｎｍ〜３１５ｎｍのＵＶ光）に対する遮断率を推定できる。結果を表６Ｂに示す。
【表６Ｂ】
0006585567.tif 000008
【００６５】
表６Ｂから、第１の比較例と比較すると、第２の実施例のＵＶ−Ａ及びＵＶ−Ｂに対する遮断率がはるかに大きく、つまり、第２の実施例の多焦点コンタクトレンズがＵＶ光を効果的に吸収し、更に、網膜のＵＶ光により傷つけられる確率を低下させることが判明される。
【００６６】
＜第３の実施例＞
第３の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第３の実施例の多焦点コンタクトレンズの構造については、図３を参照する。
【００６７】
第３の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。
第３の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表７を参照する。
【表７】
0006585567.tif 000009
【００６８】
表８及び図８を同時に参照する。第３の実施例の多焦点コンタクトレンズの半径及びそれに対応するディオプターを表８に示す。図８は、第３の実施例の多焦点コンタクトレンズの半径とディオプターとの関係図である（負値がただ反対方向の半径距離を意味する）。
表８及び図８から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが中心領域から離れるに連れて次第に増えることが判明される。
【表８】
0006585567.tif 000010
【００６９】
第３の実施例の多焦点コンタクトレンズの材質はヒドロゲルである。第３の実施例ヒドロゲルを調製する組成物については、表９を参照する。
【表９】
0006585567.tif 000011
【００７０】
表９から、２−［２−ヒドロキシ−５−［２−（メタクリロキシ）エチル］フェニル］−２Ｈ−ベンゾトリアゾールを加えることで、第３の実施例の多焦点コンタクトレンズがＵＶ光を吸収できることが判明される。
【００７１】
＜第４の実施例＞
第４の実施例の多焦点コンタクトレンズは、中心領域及び第１の環状領域を含む。第１の環状領域が中心領域を同心的に取り囲み、中心領域及び第１の環状領域の少なくとも一方が非球面である。第４の実施例の多焦点コンタクトレンズの構造については、図２を参照する。
【００７２】
第４の実施例の多焦点コンタクトレンズにおいて、中心領域の直径がＤｉＣであり、第１の環状領域の外円直径がＤｉＰ１であり、中心領域のディオプターがＰｏｗＣであり、第１の環状領域の最大ディオプターがＰｏｗＰ１である。
第４の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の数値については、表１０を参照する。
【表１０】
0006585567.tif 000012
【００７３】
表１１及び図９を同時に参照する。第４の実施例の多焦点コンタクトレンズの半径及びそれに対応するディオプター（負値がただ反対方向の半径距離を意味する）を表１１に示す。図９は、第４の実施例の多焦点コンタクトレンズの半径とディオプターとの関係図である。表１１及び図９から、中心領域のディオプターが一定であり、第１の環状領域のディオプターが中心領域のディオプターと異なり、具体的には、第１の環状領域のディオプターが中心領域のディオプターより大きく、第１の環状領域のディオプターが中心領域から離れるに連れて次第に増えることが判明される。
【表１１】
0006585567.tif 000013
【００７４】
第４の実施例の多焦点コンタクトレンズの材質はヒドロゲルである。第４の実施例のヒドロゲルを調製する組成物については、表１２Ａを参照する。
【表１２Ａ】
0006585567.tif 000014
【００７５】
表１２Ａから、２−（４−ベンゾイル−３−ヒドロキシフェノキシ）エチルアクリレートを加えることで、第４の実施例の多焦点コンタクトレンズがＵＶ光を吸収できることが判明される。
【００７６】
図１０を参照する。図１０は、第４の実施例の多焦点コンタクトレンズ及び第２の比較例の多焦点コンタクトレンズにおける波長と光透過率との関係図である。第２の比較例は、ＵＶ吸収成分が加えられていないことに、第４の実施例と異なっている。具体的には、第２の比較例では、２−（４−ベンゾイル−３−ヒドロキシフェノキシ）エチルアクリレートの代わりにヒドロキシエチルメタクリレートを使用した。
図１０から、（１−波長３１６〜３８０ｎｍの平均透過率）×１００［％］によって、第２の比較例及び第４の実施例の多焦点コンタクトレンズのＵＶ−Ａ（波長範囲３１６ｎｍ〜３８０ｎｍのＵＶ光）に対する遮断率を推定できる。また、（１−２８０ｎｍ〜３１５ｎｍの平均透過率）×１００［％］によって、第２の比較例及び第４の実施例の多焦点コンタクトレンズのＵＶ−Ｂ（波長範囲２８０ｎｍ〜３１５ｎｍのＵＶ光）に対する遮断率を推定できる。結果を表１２Ｂに示す。
【表１２Ｂ】
0006585567.tif 000015
【００７７】
表１２Ｂから、第２の比較例と比較すると、第４の実施例のＵＶ−Ａ及びＵＶ−Ｂに対する遮断率がはるかに大きく、つまり、第４の実施例の多焦点コンタクトレンズがＵＶ光を効果的に吸収し、更に、網膜のＵＶ光により傷つけられる確率を低下させることが判明される。
【００７８】
＜第５の実施例＞
第５の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第５の実施例の多焦点コンタクトレンズの構造については、図３を参照する。
【００７９】
第５の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。第５の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表１３を参照する。
【表１３】
0006585567.tif 000016
【００８０】
表１４及び図１１を同時に参照する。第５の実施例の多焦点コンタクトレンズの半径及びそれに対応するディオプターを表１４に示す。図１１は、第５の実施例の多焦点コンタクトレンズの半径とディオプターとの関係図である（負値がただ反対方向の半径距離を意味する）。
表１４及び図１１から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが一定であることが判明される。
【表１４】
0006585567.tif 000017
【００８１】
第５の実施例の多焦点コンタクトレンズの材質はヒドロゲルである。第５の実施例のヒドロゲルを調製する組成物については、表１５を参照する。
【表１５】
0006585567.tif 000018
【００８２】
表１５から、２−（４−ベンゾイル−３−ヒドロキシフェノキシ）エチルアクリレートを加えることで、第５の実施例の多焦点コンタクトレンズがＵＶ光を吸収できることが判明される。
【００８３】
＜第６の実施例＞
第６の実施例の多焦点コンタクトレンズは、中心領域及び第１の環状領域を含む。第１の環状領域が中心領域を同心的に取り囲み、中心領域及び第１の環状領域の少なくとも一方が非球面である。第１の実施例の多焦点コンタクトレンズの構造については、図２を参照する。
【００８４】
第６の実施例の多焦点コンタクトレンズにおいて、中心領域の直径がＤｉＣであり、第１の環状領域の外円直径がＤｉＰ１であり、中心領域のディオプターがＰｏｗＣであり、第１の環状領域の最大ディオプターがＰｏｗＰ１である。第１の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の数値については、表１６を参照する。
【表１６】
0006585567.tif 000019
【００８５】
表１７及び図１２を同時に参照する。第６の実施例の多焦点コンタクトレンズの半径及びそれに対応するディオプターを表１７に示す。図１２は、第６の実施例の多焦点コンタクトレンズの半径とディオプターとの関係図である（負値がただ反対方向の半径距離を意味する）。
表１７及び図１２から、中心領域のディオプターが一定であり、第１の環状領域のディオプターが中心領域のディオプターと異なり、具体的には、第１の環状領域のディオプターが中心領域のディオプターより大きく、第１の環状領域のディオプターが中心領域から離れるに連れて次第に増えることが判明される。
【表１７】
0006585567.tif 000020
【００８６】
第６の実施例の多焦点コンタクトレンズの材質はヒドロゲルである。第６の実施例のヒドロゲルを調製する組成物については、表１８を参照する。
【表１８】
0006585567.tif 000021
【００８７】
表１８から、２−（４−ベンゾイル−３−ヒドロキシフェノキシ）エチルアクリレートを加えることで、第６の実施例の多焦点コンタクトレンズがＵＶ光を吸収できることが判明される。
【００８８】
＜第７の実施例＞
第７の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第７の実施例の多焦点コンタクトレンズの構造については、図３を参照する。
【００８９】
第７の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。第７の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表１９を参照する。
【表１９】
0006585567.tif 000022
【００９０】
表２０及び図１３を同時に参照する。第７の実施例の多焦点コンタクトレンズの半径及びそれに対応するディオプターを表２０に示す。図１３は、第７の実施例の多焦点コンタクトレンズの半径とディオプターとの関係図である（負値がただ反対方向の半径距離を意味する）。
表２０及び図１３から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが中心領域から離れるに連れて次第に増えることが判明される。
【表２０】
0006585567.tif 000023
【００９１】
第７の実施例の多焦点コンタクトレンズの材質はヒドロゲルである。第７の実施例のヒドロゲルを調製する組成物については、表２１Ａを参照する。
【表２１Ａ】
0006585567.tif 000024
【００９２】
表２１Ａから、４−（フェニルジアゼニル）フェニルメタクリレートを加えることで、第７の実施例の多焦点コンタクトレンズが青色光を吸収できることが判明される。
【００９３】
図１４を参照する。図１４は、第７の実施例の多焦点コンタクトレンズ及び第３の比較例の多焦点コンタクトレンズにおける波長と光透過率との関係図である。第３の比較例は、青色光吸収成分が加えられていないことに、第７の実施例と異なっている。具体的には、第３の比較例では、４−（フェニルジアゼニル）フェニルメタクリレートの代わりにヒドロキシエチルメタクリレートを使用した。
図１４から、（１−波長３８０〜４９５ｎｍの平均透過率）×１００［％］によって、第３の比較例及び第７の実施例の多焦点コンタクトレンズの青色光（波長範囲３８０ｎｍ〜４９５ｎｍ）に対する遮断率を推定できる。結果を表２１Ｂに示す。
【表２１Ｂ】
0006585567.tif 000025
【００９４】
表２１Ｂから、第３の比較例と比較すると、第７の実施例の青色光に対する遮断率がはるかに大きく、つまり、第７の実施例の多焦点コンタクトレンズは青色光を効果的に吸収し、更に、網膜の青色光により傷つけられる確率を低下させることが判明される。
【００９５】
＜第８の実施例＞
第８の実施例の多焦点コンタクトレンズは、中心領域及び第１の環状領域を含む。第１の環状領域が中心領域を同心的に取り囲み、中心領域及び第１の環状領域の少なくとも一方が非球面である。第８の実施例の多焦点コンタクトレンズの構造については、図２を参照する。
【００９６】
第８の実施例の多焦点コンタクトレンズにおいて、中心領域の直径がＤｉＣであり、第１の環状領域の外円直径がＤｉＰ１であり、中心領域のディオプターがＰｏｗＣであり、第１の環状領域の最大ディオプターがＰｏｗＰ１である。第８の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の数値については、表２２を参照する。
【表２２】
0006585567.tif 000026
【００９７】
表２３及び図１５を同時に参照する。第８の実施例の多焦点コンタクトレンズの半径及びそれに対応するディオプターを表２３に示す。図１５は、第８の実施例の多焦点コンタクトレンズの半径とディオプターとの関係図である（負値がただ反対方向の半径距離を意味する）。
表２３及び図１５から、中心領域のディオプターが一定であり、第１の環状領域のディオプターが中心領域のディオプターと異なり、具体的には、第１の環状領域のディオプターが中心領域のディオプターより大きく、第１の環状領域のディオプターが中心領域から離れるに連れて次第に増えることが判明される。
【表２３】
0006585567.tif 000027
【００９８】
第８の実施例の多焦点コンタクトレンズの材質はヒドロゲルである。第８の実施例ヒドロゲルを調製する組成物については、表２４を参照する。
【表２４】
0006585567.tif 000028
【００９９】
表２４から、４−（フェニルジアゼニル）フェニルメタクリレートを加えることで、第８の実施例の多焦点コンタクトレンズは青色光を吸収できることが判明される。
【０１００】
＜第９の実施例＞
第９の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第９の実施例の多焦点コンタクトレンズの構造については、図３を参照する。
【０１０１】
第９の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。第９の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表２５を参照する。
【表２５】
0006585567.tif 000029
【０１０２】
表２６及び図１６を同時に参照する。第９の実施例の多焦点コンタクトレンズの半径及びそれに対応するディオプターを表２６に示す。図１６は、第９の実施例の多焦点コンタクトレンズの半径とディオプターとの関係図である（負値がただ反対方向の半径距離を意味する）。
表２６及び図１６から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが中心領域から離れるに連れて次第に増えることが判明される。
【表２６】
0006585567.tif 000030
【０１０３】
第９の実施例の多焦点コンタクトレンズの材質はヒドロゲルである。第９の実施例のヒドロゲルを調製する組成物については、表２７を参照する。
【表２７】
0006585567.tif 000031
【０１０４】
表２７から、４−（フェニルジアゼニル）フェニルメタクリレートを加えることで、第９の実施例の多焦点コンタクトレンズは青色光を吸収できることが判明される。
【０１０５】
＜第１０の実施例＞
第１０の実施例の多焦点コンタクトレンズは、中心領域及び第１の環状領域を含む。第１の環状領域が中心領域を同心的に取り囲み、中心領域及び第１の環状領域の少なくとも一方が非球面である。第１０の実施例の多焦点コンタクトレンズの構造については、図２を参照する。
【０１０６】
第１０の実施例の多焦点コンタクトレンズにおいて、中心領域の直径がＤｉＣであり、第１の環状領域の外円直径がＤｉＰ１であり、中心領域のディオプターがＰｏｗＣであり、第１の環状領域の最大ディオプターがＰｏｗＰ１である。第１０の実施例のＤｉＣ、ＤｉＰ１、ＤｉＣ／ＤｉＰ１、ＰｏｗＣ、ＰｏｗＰ１、｜ＰｏｗＣ−ＰｏｗＰ１｜の数値については、表２８を参照する。
【表２８】
0006585567.tif 000032
【０１０７】
表２９及び図１７を同時に参照する。第１０の実施例の多焦点コンタクトレンズの半径及びそれに対応するディオプターを表２９に示す。図１７は、第１０の実施例の多焦点コンタクトレンズの半径とディオプターとの関係図である（負値がただ反対方向の半径距離を意味する）。
表２９及び図１７から、中心領域のディオプターが一定であり、第１の環状領域のディオプターが中心領域のディオプターと異なり、具体的には、第１の環状領域のディオプターが中心領域のディオプターより大きく、第１の環状領域のディオプターが中心領域から離れるに連れて次第に増えることが判明される。
【表２９】
0006585567.tif 000033
【０１０８】
第１０の実施例の多焦点コンタクトレンズの材質はシリコンハイドロゲルであり、第１０の実施例のシリコンハイドロゲルを調製する組成物については、表３０を参照する。
【表３０】
0006585567.tif 000034
【０１０９】
表３０から、２−（４−ベンゾイル−３−ヒドロキシフェノキシ）エチルアクリレートを加えることで、第１０の実施例の多焦点コンタクトレンズがＵＶ光を吸収できることが判明される。
【０１１０】
＜第１１の実施例＞
第１１の実施例の多焦点コンタクトレンズは、中心から周辺まで同心円となるように順次に繋がる中心領域、第２の環状領域、第１の環状領域を含み、中心領域、第２の環状領域及び第１の環状領域の少なくとも一方が非球面である。第１１の実施例の多焦点コンタクトレンズの構造については、図３を参照する。
【０１１１】
第１１の実施例の多焦点コンタクトレンズにおいて、中心領域の直径がＤｉＣであり、第１の環状領域の外円直径がＤｉＰ１であり、第２の環状領域の外円直径がＤｉＰ２であり、中心領域のディオプターがＰｏｗＣであり、第１の環状領域の最大ディオプターがＰｏｗＰ１であり、第２の環状領域の最大ディオプターがＰｏｗＰ２である。第１１の実施例のＤｉＣ、ＤｉＰ１、ＤｉＰ２、ＤｉＣ／ＤｉＰ１、ＤｉＣ／ＤｉＰ２、ＰｏｗＣ、ＰｏｗＰ１、ＰｏｗＰ２、｜ＰｏｗＣ−ＰｏｗＰ１｜の数値については、表３１を参照する。
【表３１】
0006585567.tif 000035
【０１１２】
表３２及び図１８を同時に参照する。第１１の実施例の多焦点コンタクトレンズの半径及びそれに対応するディオプターを表３２に示す。図１８は、第１１の実施例の多焦点コンタクトレンズの半径とディオプターとの関係図である（負値がただ反対方向の半径距離を意味する）。
表３２及び図１８から、中心領域のディオプターが一定であり、第２の環状領域のディオプターが中心領域のディオプターと異なり、第１の環状領域のディオプターが中心領域のディオプターと異なり、具体的には、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが中心領域から離れるに連れて次第に増えることが判明される。
【表３２】
0006585567.tif 000036
【０１１３】
第１１の実施例の多焦点コンタクトレンズの材質はシリコンハイドロゲルであり、第１１の実施例のシリコンハイドロゲルを調製する組成物については、表３３Ａを参照する。
【表３３Ａ】
0006585567.tif 000037
【０１１４】
表３３Ａから、２−（４−ベンゾイル−３−ヒドロキシフェノキシ）エチルアクリレートを加えることで、第１１の実施例の多焦点コンタクトレンズがＵＶ光を吸収できることが判明される。
【０１１５】
図１９を参照する。図１９は、第１１の実施例の多焦点コンタクトレンズ及び第４の比較例の多焦点コンタクトレンズにおける波長と光透過率との関係図である。第４の比較例は、ＵＶ吸収成分が加えられていないことに、第１１の実施例と異なっている。具体的には、第４の比較例では、２−（４−ベンゾイル−３−ヒドロキシフェノキシ）エチルアクリレートの代わりにヒドロキシエチルメタクリレートを使用した。
図１９から、（１−波長３１６〜３８０ｎｍの平均透過率）×１００［％］によって、第４の比較例及び第１１の実施例の多焦点コンタクトレンズのＵＶ−Ａ（波長範囲３１６ｎｍ〜３８０ｎｍのＵＶ光）に対する遮断率を推定できる。また、（１−２８０ｎｍ〜３１５ｎｍの平均透過率）×１００［％］によって、第４の比較例及び第１１の実施例の多焦点コンタクトレンズのＵＶ−Ｂ（波長範囲２８０ｎｍ〜３１５ｎｍのＵＶ光）に対する遮断率を推定できる。結果を表３３Ｂに示す。
【表３３Ｂ】
0006585567.tif 000038
【０１１６】
表３３Ｂから、第４の比較例と比較すると、第１１の実施例のＵＶ−Ａ及びＵＶ−Ｂに対する遮断率がはるかに大きく、つまり、第１１の実施例の多焦点コンタクトレンズがＵＶ光を効果的に吸収し、更に、網膜のＵＶ光により傷つけられる確率を低下させることが判明される。
【０１１７】
＜第１２の実施例＞
第１２の実施例の多焦点コンタクトレンズは、中心から周辺まで同心円となるように順次に繋がる中心領域、第３の環状領域、第２の環状領域、第１の環状領域を含み、中心領域、第３の環状領域、第２の環状領域及び第１の環状領域の少なくとも一方が非球面である。第１２の実施例の多焦点コンタクトレンズの構造については、図４を参照する。
【０１１８】
第１２の実施例の多焦点コンタクトレンズにおいて、中心領域の直径がＤｉＣであり、第１の環状領域の外円直径がＤｉＰ１であり、第２の環状領域の外円直径がＤｉＰ２であり、第３の環状領域の外円直径がＤｉＰ３であり、中心領域のディオプターがＰｏｗＣであり、第１の環状領域の最大ディオプターがＰｏｗＰ１であり、第２の環状領域の最大ディオプターがＰｏｗＰ２であり、第３の環状領域の最大ディオプターがＰｏｗＰ３である。第１２の実施例のＤｉＣ、ＤｉＰ１、ＤｉＰ２、ＤｉＰ３、ＤｉＣ／ＤｉＰ１、ＤｉＣ／ＤｉＰ２、ＰｏｗＣ、ＰｏｗＰ１、ＰｏｗＰ２、ＰｏｗＰ３、｜ＰｏｗＣ−ＰｏｗＰ１｜の数値については、表３４を参照する。
【表３４】
0006585567.tif 000039
【０１１９】
表３５及び図２０を同時に参照する。第１２の実施例の多焦点コンタクトレンズの半径及びそれに対応するディオプターを表３５に示す。図２０は、第１２の実施例の多焦点コンタクトレンズの半径とディオプターとの関係図である（負値がただ反対方向の半径距離を意味する）。
表３５及び図２０から、中心領域のディオプターが一定であり、第３の環状領域のディオプターが中心領域のディオプターと異なり、第２の環状領域のディオプターが中心領域のディオプターと異なり、第１の環状領域のディオプターが中心領域のディオプターと異なり、具体的には、第３の環状領域のディオプターが中心領域のディオプターより大きく、第３の環状領域のディオプター中心領域から離れるに連れて次第に増え、第２の環状領域のディオプターが中心領域のディオプターより大きく、第２の環状領域のディオプターが中心領域から離れるに連れて次第に増え、第１の環状領域のディオプターが中心領域のディオプターより大きく、第１の環状領域のディオプターが一定であることが判明される。
【表３５】
0006585567.tif 000040
【０１２０】
第１２の実施例の多焦点コンタクトレンズの材質はシリコンハイドロゲルであり、第１２の実施例のヒドロゲルを調製する組成物については、表３６Ａを参照する。
【表３６Ａ】
0006585567.tif 000041
【０１２１】
表３６Ａから、４−（フェニルジアゼニル）フェニルメタクリレートを加えることで、第１２の実施例の多焦点コンタクトレンズは青色光を吸収できることが判明される。
【０１２２】
図２１を参照する。図２１は、第１２の実施例の多焦点コンタクトレンズ及び第５の比較例の多焦点コンタクトレンズにおける波長と光透過率との関係図である。第５の比較例は、青色光吸収成分が加えられていないことに、第１２の実施例と異なっている。具体的には、第５の比較例では、４−（フェニルジアゼニル）フェニルメタクリレートの代わりにヒドロキシエチルメタクリレートを使用した。
図２１から、（１−波長３８０〜４９５ｎｍの平均透過率）×１００［％］によって、第５の比較例及び第１２の実施例の多焦点コンタクトレンズの青色光（波長範囲３８０ｎｍ〜４９５ｎｍ）に対する遮断率を推定できる。結果を表３６Ｂに示す。
【表３６Ｂ】
0006585567.tif 000042
【０１２３】
表３６Ｂから、第５の比較例と比較すると、第１２の実施例の青色光に対する遮断率がはるかにおおきく、つまり、第１２の実施例の多焦点コンタクトレンズは青色光を効果的に吸収し、更に、網膜の青色光により傷つけられる確率を低下させることが判明される。
【０１２４】
本発明において、多焦点コンタクトレンズにおける非球面とは、正面又は裏面における中心断面の下方の曲面形状である。正面とは眼球角膜から離れる表面であり、裏面とは眼球角膜に近い表面である。
【０１２５】
本発明におけるディオプターは、Ｄ値で示す。近視校正のレンズディオプターが負値である場合、遠視校正のレンズディオプターは正値である。
【０１２６】
本発明における毛様体筋麻痺剤は、アトロピン（Ａｔｒｏｐｉｎｅ；（３−ｅｎｄｏ）−８−ｍｅｔｈｙｌ−８−ａｚａｂｉｃｙｃｌｏ［３．２．１］ｏｃｔ−３−ｙｌ  ｔｒｏｐａｔｅ）、トロピカミド（Ｔｒｏｐｉｃａｍｉｄｅ；Ｎ−ｅｔｈｙｌ−３−ｈｙｄｒｏｘｙ−２−ｐｈｅｎｙｌ−Ｎ−（４−ｐｙｒｉｄｉｎｙｌｍｅｔｈｙｌ）ｐｒｏｐａｎａｍｉｄｅ）、シクロペントレート（Ｃｙｃｌｏｐｅｎｔｏｌａｔｅ；２−（ｄｉｍｅｔｈｙｌａｍｉｎｏ）ｅｔｈｙｌ（１−ｈｙｄｒｏｘｙｃｙｃｌｏｐｅｎｔｙｌ）（ｐｈｅｎｙｌ）ａｃｅｔａｔｅ）、ホマトロピン（Ｈｏｍａｔｒｏｐｉｎｅ；（３−ｅｎｄｏ）−８−ｍｅｔｈｙｌ−８−ａｚａｂｉｃｙｃｌｏ［３．２．１］ｏｃｔ−３−ｙｌｈｙｄｒｏｘｙ（ｐｈｅｎｙｌ）ａｃｅｔａｔｅ）、スコポラミン（Ｓｃｏｐｏｌａｍｉｎｅ；（１Ｒ，２Ｒ，４Ｓ，５Ｓ，７ｓ）−９−ｍｅｔｈｙｌ−３−ｏｘａ−９−ａｚａｔｒｉｃｙｃｌｏ［３．３．１．０2,4］ｎｏｎ−７−ｙｌ（２Ｓ）−３−ｈｙｄｒｏｘｙ−２−ｐｈｅｎｙｌｐｒｏｐａｎｏａｔｅ）、オイカトロピン（Ｅｕｃａｔｒｏｐｉｎｅ；１，２，２，６−ｔｅｔｒａｍｅｔｈｙｌ−４−ｐｉｐｅｒｉｄｉｎｙｌｈｙｄｒｏｘｙ（ｐｈｅｎｙｌ）ａｃｅｔａｔｅ）及びそれらの塩類を含むが、それらに限定されない。毛様体筋麻痺剤は、散瞳薬とも呼ばれ、副交感神経遮断剤に属し、つまり、非選択的なＭ型ムスカリン性受容体遮断薬である。ムスカリン性受容体を遮断することで、瞳孔を制御する毛様体筋を麻痺・弛緩させて、更に瞳孔を広げることができる。
【０１２７】
本発明の実施形態を用いて前述の通りに開示したが、これは、本発明を限定するものではなく、当業者であれば、本発明の思想と範囲から逸脱しない限り、変更や修正を加えることができ、したがって、本発明の保護範囲は、特許請求の範囲で指定した内容を基準とする。
【符号の説明】
【０１２８】
１００  コンタクトレンズ製品、
１１０、２１０、３１０  多焦点コンタクトレンズ、
１１１、２１１、３１１  中心領域、
１１２、２１２、３１２  第１の環状領域、
１２０  緩衝液、
２１３、３１３  第２の環状領域、
３１４  第３の環状領域、
ＣｏｎＡ  毛様体筋麻痺剤の緩衝液における重量百分率濃度、
ＤｉＣ  中心領域の直径、
ＤｉＰ１  第１の環状領域の外円直径、
ＤｉＰ２  第２の環状領域の外円直径、
ＤｉＰ３  第３の環状領域の外円直径、
ＰｏｗＣ  中心領域のディオプター、
ＰｏｗＰ１  第１の環状領域の最大ディオプター、
ＰｏｗＰ２  第２の環状領域の最大ディオプター、
ＰｏｗＰ３  第３の環状領域の最大ディオプター。
【図１】
0006585567.tif 000043
【図２】
0006585567.tif 000044
【図３】
0006585567.tif 000045
【図４】
0006585567.tif 000046
【図５】
0006585567.tif 000047
【図６】
0006585567.tif 000048
【図７】
0006585567.tif 000049
【図８】
0006585567.tif 000050
【図９】
0006585567.tif 000051
【図１０】
0006585567.tif 000052
【図１１】
0006585567.tif 000053
【図１２】
0006585567.tif 000054
【図１３】
0006585567.tif 000055
【図１４】
0006585567.tif 000056
【図１５】
0006585567.tif 000057
【図１６】
0006585567.tif 000058
【図１７】
0006585567.tif 000059
【図１８】
0006585567.tif 000060
【図１９】
0006585567.tif 000061
【図２０】
0006585567.tif 000062
【図２１】
0006585567.tif 000063